(57)【特許請求の範囲】
【請求項１】
横長の表示形態と縦長の表示形態との両方の表示形態が可能な矩形形状の表示画面を有する表示制御部を備えた携帯情報端末装置であって、
前記表示制御部を含む装置の動作制御を行う演算制御部を収納した第１の筐体と、電源部を収納し表面に操作ボタン群を有する第２の筐体とに分割され、
前記第２の筐体の側面に、前記操作ボタン群および電源部を電気的に接続する接続端子部が設けられ、
前記第１の筐体の表示画面の形状に一致する短辺側の一側面に、前記接続端子部と電気的に接続する短辺側端子受け部が設けられるとともに、長辺側の一側面に、前記接続端子部と電気的に接続する長辺側端子受け部が設けられ、
前記表示制御部は、前記第２の筐体の接続端子部が前記第１の筐体の短辺側受け部に接続された状態で前記操作ボタン群の任意のボタンが操作された場合には、前記表示画面の表示形態を横長に設定し、前記第２の筐体の接続端子部が前記第１の筐体の長辺側受け部に接続された状態で前記操作ボタン群の任意のボタンが操作された場合には、前記表示画面の表示形態を縦長に設定することを特徴とする携帯情報端末装置。
【請求項２】
横長の表示形態と縦長の表示形態との両方の表示形態が可能な矩形形状の表示画面を有する表示制御部を備えた携帯情報端末装置であって、
前記表示制御部を含む装置の動作制御を行う演算制御部を収納した第１の筐体と、電源部を収納し表面に操作ボタン群を有する第２の筐体とに分割され、
前記第２の筐体の側面に、前記操作ボタン群および電源部を電気的に接続する接続端子部が設けられ、
前記第１の筐体の表示画面の形状に一致する短辺側の一側面に、前記接続端子部と電気的に接続する短辺側端子受け部が設けられるとともに、長辺側の一側面に、前記接続端子部と電気的に接続する長辺側端子受け部が設けられ、
前記表示制御部は、前記第２の筐体の接続端子部が前記第１の筐体の短辺側受け部に接続された場合には、前記表示画面の表示形態を横長に設定し、前記第２の筐体の接続端子部が前記第１の筐体の長辺側受け部に接続された場合には、前記表示画面の表示形態を縦長に設定することを特徴とする携帯情報端末装置。
【発明の詳細な説明】
【０００１】
【発明の属する技術分野】
本発明は、矩形形状の表示画面を有する表示制御部を備えた携帯情報端末装置に係り、より詳細には、表示画面を横長サイズとして使用するか、縦長サイズとして使用するかの切り替え機能を備えた携帯情報端末装置に関する。
【０００２】
【従来の技術】
メールやインターネット、カメラやフォトメモリ、スケジュール、アドレス帳、辞書、電卓や時計、ＭＯＲＥソフトなどのアプリケーション機能を記憶させた小型の携帯情報端末装置が普及している。これらの装置は、電源入り、戻る、決定、スクロールなどの機能を有するボタンや、タッチペンなどでアプリケーション機能を操作することにより、この装置の画像情報を画面に表示出力することができる。例えば、この装置でメールを受信したり、インターネットに接続したり、スケジュールやアドレス帳などの画像情報をボタン操作またはタッチペンの操作で呼び出したりして、必要な情報にアクセスできる。このような装置は、近時、より薄く、より軽くなっており、片手で持って簡単に使用できることから、急速に普及している。
【０００３】
この小型携帯情報端末装置は、図９に示すように、薄型で横長サイズに形成されたケース８１に、横長形状の表示画面を有する液晶表示部８２が組み込まれている。ケース８１の前面左側には、電源を入れたり表示を切り替えたりする電源／切替ボタン８３ａ、表示画面上で選んだデータを決める決定ボタン８３ｂ、表示画面上に表示されているデータを前後左右にスクロールするスクロールボタン８３ｃが配置されている。スクロールボタン８３ｃは、上部８３ｃ１を押すと上にスクロールし、下部８３ｃ２を押すと下にスクロールし、右部８３ｃ３を押すと右にスクロールし、左部８３ｃ４を押すと左にスクロールする。また、ケース１の一側面（この例では、長辺側の一側面）８１ａには、タッチペン８４を取り付ける取付部８１ａ１が設けられている。さらに、表示画面の左側には、機能選択キーシート８５が配置されている。
【０００４】
横長形状の液晶表示部８２の表示画面には、カメラアイコン、フォトメモリアイコンなどの各機能を示すアイコンや、メールを受けるアイコン、インターネットを読む目的のアイコンなどが表示され、これらのアイコンによって、この装置に記憶されている各種アプリケーション機能を知ることができる。使用者は、電源／切替ボタン８３ａを操作し、カーソルボタン８３ｃを操作してカーソルを任意のアイコンに移動させ、決定ボタン８３ｂを操作してそのアイコンのアプリケーション機能を起動するといった一連の操作を、この装置を持ったまま簡単に行うことができる。
【０００５】
アプリケーション機能の一例としては、例えばインターネットに接続してメールの送受信を行ったり、種々のホームページを見たりすることができる。これは、携帯情報端末装置に通信機器を接続して、または内蔵の通信機器を使用して、インターネットに接続するための設定を行い、メールを送受信する条件の設定を行うことで、メールの送信や受信を行うことができる。また、インターネットのホームページのアドレスを登録することで、そのホームページを開いて表示画面に表示させることができる。
【０００６】
このようにして表示画面に表示される受信メールやホームページは、取り込み後にゆっくり見ることができる。この際、表示画面に表示しきれないデータを表示するときには、スクロールバーが表示される。スクロールバーは、上下１画面分以上のデータがあるときは表示画面の右側に上下のスクロールバーが表示され、左右１画面分以上のデータがあるときは表示画面の下側に左右のスクロールバーが表示される。
【０００７】
表示画面の１画面分に表示しきれないデータを移動するには、ケース８１の側面８１ａに取り付けられているタッチペン８４などで、上下または左右のスクロールバーのスクロールアイコンをタッチするか、スクロールボールにタッチし、その状態でタッチペン８４を移動して表示画面の表示情報を送ればよい。
【０００８】
このように、表示画面には、メールやインターネット、カメラやフォトメモリ、スケジュール、アドレス帳、辞書、電卓や時計、ＭＯＲＥソフトなどのアプリケーション機能の情報量により、表示画面の右側に上下のスクロールバーや、表示画面の下側に左右のスクロールバーが表示されるので、これらのスクロール操作を行うことで、アプリケーション情報を全て見ることができる。
【０００９】
また、携帯情報端末装置には、図１０に示すように、表示画面が縦長サイズに形成されたものもある。この携帯情報端末装置は、薄型で縦長サイズに形成されたケース９１に、縦長形状の表示画面を有する液晶表示部９２が組み込まれている。ケース９１の前面下側には、電源を入れたり表示を切り替えたりする電源／切替ボタン９３ａ、表示画面上で選んだデータを決める決定ボタン９３ｂ、表示画面上に表示されているデータを前後左右にスクロールするスクロールボタン９３ｃが配置されている。また、ケース１の一側面（この例では、長辺側の一側面）９１ａには、タッチペン９４を取り付ける取付部９１ａ１が設けられている。さらに、表示画面の下側には、機能選択キーシート９５が配置されている。
【００１０】
縦長形状の液晶表示部９２の表示画面にも、図９に示した横長の携帯情報端末装置と同様、各種のアイコンが表示されており、使用者は、電源／切替ボタン９３ａを操作し、カーソルボタン９３ｃを操作してカーソルを任意のアイコンに移動させ、決定ボタン９３ｂを操作してそのアイコンのアプリケーション機能を起動するといった一連の操作を、この装置を持ったまま簡単に行うことができる。
【００１１】
また、表示画面に表示しきれないデータを表示するときには、スクロールバーが表示される。従って、表示画面の１画面分に表示しきれないデータを移動するには、ケース９１の側面９１ａに取り付けられているタッチペン９４などで、上下または左右のスクロールバーのスクロールアイコンをタッチするか、スクロールボールにタッチし、その状態でタッチペン９４を移動して表示画面の表示情報を送ればよい。
【００１２】
このように、携帯情報端末装置には、図９に示す横長サイズのものと、図１０に示す縦長サイズのものとがあり、表示画面もこれに合わせて、横長サイズのものと、縦長サイズのものとがある。
【００１３】
一方、特開平８−１２９５５７号公報には、画像情報を９０°回転させて表示させることにより、表示画面を横長サイズまたは縦長サイズのいずれかに切り替えることのできる携帯型電子読書装置が記載されている。この携帯型電子読書装置は、ケース内に液晶表示器の長尺方向が水平方向を向いているか否かを検出する方向センサを設け、この方向センサが水平方向を検出しているときには画像情報を９０°回転させて液晶表示器に表示するようになっている。
【００１４】
【発明が解決しようとする課題】
ところで、メールやインターネット、カメラやフォトメモリ、スケジュール、アドレス帳、辞書、電卓や時計、ＭＯＲＥソフトなどのアプリケーション機能や、表示画面に表示される種々の表示データは、その表示形態が、横長形状の液晶表示画面に適したものと、縦長形状の液晶表示画面に適したものとが存在する。しかしながら、上記した従来の携帯情報端末装置では、いずれか一方の表示形態にしか対応していないため、例えば１画面分以上の横長データを縦長形状の表示画面に表示した場合には、データ全体の把握がしづらく、かつ、スクロール操作を頻繁に行わなければならないといった問題があった。
【００１５】
また、上記した特開平８−１２９５５７号公報に記載の携帯型電子読書装置においては、水平方向を検出するための方向センサを設ける必要があり、コスト的にも高価になるとともに、内部処理も複雑になるといった問題があった。
【００１６】
本発明は係る問題点を解決すべく創案されたもので、その目的は、方向センサといった特殊なセンサを用いることなく、アプリケーション機能や表示画面に表示される１画面分のデータの表示形態を、使用者が任意に切り替えることのできる携帯情報端末装置を提供することにある。
【００２３】
本発明の携帯情報端末装置は、横長の表示形態と縦長の表示形態との両方の表示形態が可能な矩形形状の表示画面を有する表示制御部を備えた携帯情報端末装置であって、前記表示制御部を含む装置の動作制御を行う演算制御部を収納した第１の筐体と、電源部を収納し表面に操作ボタン群を有する第２の筐体とに分割され、前記第２の筐体の側面に、前記操作ボタン群および電源部を電気的に接続する接続端子部が設けられ、前記第１の筐体の表示画面の形状に一致する短辺側の一側面に、前記接続端子部と電気的に接続する短辺側端子受け部が設けられるとともに、長辺側の一側面に、前記接続端子部と電気的に接続する長辺側端子受け部が設けられ、前記表示制御部は、前記第２の筐体の接続端子部が前記第１の筐体の短辺側受け部に接続された状態で前記操作ボタン群の任意のボタンが操作された場合には、前記表示画面の表示形態を横長に設定し、前記第２の筐体の接続端子部が前記第１の筐体の長辺側受け部に接続された状態で前記操作ボタン群の任意のボタンが操作された場合には、前記表示画面の表示形態を縦長に設定することを特徴とする。
【００２４】
このような特徴を有する本発明によれば、表示画面を横長サイズとして使用する場合には、第２の筐体に設けられた接続端子部を、第１の筐体の短辺側の一側面に設けられた短辺側端子受け部に接続する。そして、この状態で、第１の筐体に設けられている操作ボタン群の例えば電源ボタンを操作すると、表示制御部は、この電源ボタンの操作を検知して、表示画面の表示形態を例えば横長に設定し、データを横長サイズで表示する。
【００２５】
一方、表示画面を縦長サイズとして使用する場合には、第２の筐体に設けられた接続端子部を、第１の筐体の長辺側の一側面に設けられた長辺側端子受け部に接続する。そして、この状態で、第１の筐体に設けられている操作ボタン群の例えば電源ボタンを操作すると、表示制御部は、この電源ボタンの操作を検知して、表示画面の表示形態を例えば縦長に設定し、データを縦長サイズで表示する。
【００２６】
また、本発明の携帯情報端末装置は、横長の表示形態と縦長の表示形態との両方の表示形態が可能な矩形形状の表示画面を有する表示制御部を備えた携帯情報端末装置であって、前記表示制御部を含む装置の動作制御を行う演算制御部を収納した第１の筐体と、電源部を収納し表面に操作ボタン群を有する第２の筐体とに分割され、前記第２の筐体の側面に、前記操作ボタン群および電源部を電気的に接続する接続端子部が設けられ、前記第１の筐体の表示画面の形状に一致する短辺側の一側面に、前記接続端子部と電気的に接続する短辺側端子受け部が設けられるとともに、長辺側の一側面に、前記接続端子部と電気的に接続する長辺側端子受け部が設けられ、前記表示制御部は、前記第２の筐体の接続端子部が前記第１の筐体の短辺側受け部に接続された場合には、前記表示画面の表示形態を横長に設定し、前記第２の筐体の接続端子部が前記第１の筐体の長辺側受け部に接続された場合には、前記表示画面の表示形態を縦長に設定することを特徴とする。
【００２７】
このような特徴を有する本発明によれば、表示画面を横長サイズとして使用する場合には、第２の筐体に設けられた接続端子部を、第１の筐体の短辺側の一側面に設けられた短辺側端子受け部に接続すると、表示制御部は、この接続状態を検知して、表示画面の表示形態を例えば横長に設定し、データを横長サイズで表示する。
【００２８】
一方、表示画面を縦長サイズとして使用する場合には、第２の筐体に設けられた接続端子部を、第１の筐体の長辺側の一側面に設けられた長辺側端子受け部に接続すると、表示制御部は、この接続状態を検知して、表示画面の表示形態を例えば縦長に設定し、データを縦長サイズで表示する。
【００３２】
【発明の実施の形態】
以下、本発明の実施の形態について、図面を参照して説明する。
【００３３】
［参考例１］
図１は、本発明の携帯情報端末装置の参考例１を示す外観図および断面図、図２は、同参考例１を示す外観図である。
【００３４】
この携帯情報端末装置Ｐ１は、薄型で横長サイズに形成されたケース（筐体）１１に、横長形状の表示画面を有する液晶表示部１２と装置全体の動作制御を行う演算制御部２０とが組み込まれている。また、ケース１１の一側面（この例では、長辺側の一側面）１１ａには、タッチペン１８を取り付ける取付部１１ａ１が設けられている。
【００３５】
ケース１１の前面左側、すなわち液晶表示部１２の左側は、ケース１１の前面より１段下がった構造（図１（ａ）参照）となっており、この１段下がった部分がボタン操作エリア１３となっている。このボタン操作エリア１３には、その上下方向の中心Ｌを基準として上側に上ボタン群１４が配置され、下側に下ボタン群１５が配置されている。
【００３６】
上ボタン群１４は、この装置の電源を入れたり表示を切り替えたりする電源／切替ボタン１４ａ、表示画面上で選んだデータを決める決定ボタン１４ｂ、表示画面上に表示されているデータを前後左右にスクロールするスクロールボタン１４ｃの３個のボタンからなる。スクロールボタン１４ｃは、上部１４ｃ１を押すと上にスクロールし、下部１４ｃ２を押すと下にスクロールし、右部１４ｃ３を押すと右にスクロールし、左部１４ｃ４を押すと左にスクロールする。
【００３７】
また、下ボタン群１５には、上ボタン群１４と同じ機能の３個のボタンが配置されている。すなわち、この装置の電源を入れたり表示を切り替えたりする電源／切替ボタン１５ａ、表示画面上で選んだデータを決める決定ボタン１５ｂ、表示画面上に表示されているデータを前後左右にスクロールするスクロールボタン１５ｃの３個のボタンからなる。スクロールボタン１５ｃは、上部１５ｃ１を押すと上にスクロールし、下部１５ｃ２を押すと下にスクロールし、右部１５ｃ３を押すと右にスクロールし、左部１５ｃ４を押すと左にスクロールする。
【００３８】
また、このように上ボタン群１４および下ボタン群１５が配置されたボタン操作エリア１３の上には、図１中、矢符ＡおよびＢの方向にスライド可能なスライドカバー１６が設けられている。このスライドカバー１６は、ボタン操作エリア１３の約半分の大きさに形成されており、例えば、下ボタン群１５を被覆すると、上ボタン群１４が露出し（図１参照）、下ボタン群１４を被覆すると、下ボタン群１５が露出する（図２参照）ようになっている。
【００３９】
このような構造の携帯情報端末装置Ｐ１において、液晶表示部１２の表示画面を横長サイズとして使用する場合には、図１に示すように、スライドカバー１６を下側（矢符Ｂ方向）にスライドさせる。これにより、下ボタン群１５がスライドカバー１６で被覆され、上ボタン群１４が露出する。そして、この露出した上ボタン群１４の電源ボタン１４ａを操作すると、演算制御部（請求項に記載の表示制御部）２０は、この上ボタン群１４の電源ボタン１４ａの操作を検知して、液晶表示部１２の表示画面の表示形態を横長に設定し、データを横長サイズで表示する。すなわち、図１に示すように、液晶表示部１２の表示画面の左上Ｃ点を基準に１画面分の横長データを表示する。また、このとき、表示画面の任意の場所（この例では表示画面の左端）に、機能選択キーのアイコン１７が縦列に表示される。
【００４０】
また、表示画面に表示しきれないデータを表示するときは、図示しないスクロールバーが表示される。スクロールバーは、上下１画面分以上のデータがある場合には、表示画面の右側に上下スクロールバーが表示され、左右１画面分以上のデータがある場合には、表示画面の下側に左右スクロールバーが表示される。従って、表示画面の１画面分に表示しきれないデータを移動するには、スクロールボタン１４ｃやタッチペン１８などで、表示された上下または左右のスクールバーを移動させることにより、アプリケーションのデータ全てを見ることができる。
【００４１】
一方、表示画面を縦長サイズとして使用する場合には、図２に示すように、スライドカバー１６を上側（矢符Ａ方向）にスライドさせる。これにより、上ボタン群１４がスライドカバー１６で被覆され、下ボタン群１５が露出する。そして、この露出した下ボタン群１５の電源ボタン１５ａを操作すると、演算制御部２０は、この下ボタン群１５の電源ボタン１５ａの操作を検知して、液晶表示部１２の表示画面の表示形態を縦長に設定し、データを縦長サイズで表示する。すなわち、図２に示すように、液晶表示部１２の表示画面の左上Ｄ点を基準に１画面分の縦長データを表示する。また、このとき、表示画面の任意の場所（この例では表示画面の下端）に、機能選択キーのアイコン１７が縦列に表示される。
【００４２】
また、表示画面に表示しきれないデータを表示するときは、図示しないスクロールバーが表示される。スクロールバーは、上下１画面分以上のデータがある場合には、表示画面の右側に上下スクロールバーが表示され、左右１画面分以上のデータがある場合には、表示画面の下側に左右スクロールバーが表示される。従って、表示画面の１画面分に表示しきれないデータを移動するには、スクロールボタン１５ｃやタッチペン１８などで、表示された上下または左右のスクールバーを移動させることにより、アプリケーションのデータ全てを見ることができる。
【００４３】
このように、スライドカバー１６と２組のボタン群１４，１５とで構成された本参考例１の携帯情報端末装置Ｐ１では、使用者が、ボタン操作エリア１３の上ボタン群１４の電源ボタン１４ａ、または下ボタン群１５の電源ボタン１５ａを操作することで、表示画面を横長サイズまたは縦長サイズに設定することができる。
【００４４】
［参考例２］
図３は、本発明の携帯情報端末装置の参考例２を示す外観図および断面図、図４は、同参考例２を示す外観図である。
【００４５】
本参考例２の携帯情報端末装置Ｐ２の基本構造は、上記した参考例１の構造と全く同じであるので、ここでは同部材に同符号を付すこととし、詳細な説明を省略する。
【００４６】
本参考例２では、参考例１に示す構造に加え、スライドカバー１６が下ボタン群１５を被覆しているのか、上ボタン群１４を被覆しているのかを検知する検知センサ１９が、ボタン操作エリア１３の右端部に設けられている点に特徴を有している。この検知センサ１９は、本参考例２では、スライドカバー１６が図中Ｂ方向に移動して下ボタン群１５を被覆しているときの状態（図３に示す状態）を「オフ」と検知し、スライドカバー１６が図中Ａ方向に移動して上ボタン群１４を被覆しているときの状態（図４に示す状態）を「オン」と検知する。演算制御部２０は、この検知センサ１９のオン信号またはオフ信号に基づき、液晶表示部１２の表示画面を縦長サイズまたは横長サイズに設定する。
【００４７】
このような構造の携帯情報端末装置Ｐ２において、液晶表示部１２の表示画面を横長サイズとして使用する場合には、図３に示すように、スライドカバー１６を下側（矢符Ｂ方向）にスライドさせる。これにより、下ボタン群１５がスライドカバー１６で被覆され、上ボタン群１４が露出する。この状態で、検知センサ１９は「オフ」を検知し、オフ信号を演算制御部２０に出力する。演算制御部２０は、この検知センサ１９からのオフ信号を検出すると、液晶表示部１２の表示画面の表示形態を横長に設定し、データを横長サイズで表示する。すなわち、図３に示すように、液晶表示部１２の表示画面の左上Ｃ点を基準に１画面分の横長データを表示する。また、このとき、表示画面の任意の場所（この例では表示画面の左端）に、機能選択キーのアイコン１７が縦列に表示される。
【００４８】
一方、液晶表示部１２の表示画面を縦長サイズとして使用する場合には、図４に示すように、スライドカバー１６を上側（矢符Ａ方向）にスライドさせる。これにより、上ボタン群１４がスライドカバー１６で被覆され、下ボタン群１５が露出する。この状態で、検知センサ１９は「オン」を検知し、オン信号を演算制御部２０に出力する。演算制御部２０は、この検知センサ１９からのオン信号を検出すると、液晶表示部１２の表示画面の表示形態を縦長に設定し、データを縦長サイズで表示する。すなわち、図４に示すように、液晶表示部１２の表示画面の左上Ｄ点を基準に１画面分の横長データを表示する。また、このとき、表示画面の任意の場所（この例では表示画面の下端）に、機能選択キーのアイコン１７が縦列に表示される。
【００４９】
このように、本参考例２の携帯情報端末装置Ｐ２では、使用者が、スライドカバー１６を下側（図中、Ｂ方向）にスライドさせることで、自動的に表示画面を横長サイズに設定し、スライドカバー１６を上側（図中、Ａ方向）にスライドさせることで、自動的に表示画面を縦長サイズに設定することができる。
【００５０】
［実施形態１］
図５および図６は、本発明の携帯情報端末装置の実施形態１を示す外観図である。
【００５１】
この携帯情報端末装置Ｐ３は、液晶表示部２１を含む装置全体の動作制御を行う演算制御部２２を収納した第１の筐体２３と、電源部２５を収納し表面にボタン群２４を有する第２の筐体２６とに分割されている。また、第１の筐体２３の一側面（この例では、長辺側の一側面）２３ｃには、タッチペン２９を取り付ける取付部２３ｃ１が設けられている。ボタン群２４は、この装置の電源を入れたり表示を切り替えたりする電源／切替ボタン２４ａ、表示画面上で選んだデータを決める決定ボタン２４ｂ、表示画面上に表示されているデータを前後左右にスクロールするスクロールボタン２４ｃの３個のボタンからなる。スクロールボタン２４ｃは、図５において、上部２４ｃ１を押すと上にスクロールし、下部２４ｃ２を押すと下にスクロールし、右部２４ｃ３を押すと右にスクロールし、左部２４ｃ４を押すと左にスクロールする。
【００５２】
また、第２の筐体２６の一側面には、この第２の筐体２６を第１の筐体２３に接続固定するための１対の接続金具２７，２７と、ボタン群２４および電源部２５を電気的に接続するための接続コネクタ２８とが設けられている。
【００５３】
一方、第１の筐体２３の表示画面の形状に一致する短辺側の一側面２３ａには、第２の筐体２６に設けられた１対の接続金具２７，２７を受け止める１対の接続受け金具２７ａ，２７ａと、接続コネクタ２８を受け止める接続受けコネクタ２８ａとが設けられている。また、第１の筐体２３の表示画面の形状に一致する長辺側の一側面２３ｂには、第２の筐体２６に設けられた１対の接続金具２７，２７を受け止める１対の接続受け金具２７ｂ，２７ｂと、接続コネクタ２８を受け止める接続受けコネクタ２８ｂとが設けられている。
【００５４】
第１の筐体２３内の演算制御部２２は、第１の筐体２６の接続コネタク２８が、接続受けコネタク２８ａに接続されているのか、接続受けコネクタ２８ｂに接続されているのかを、それぞれの接続コネタク２８ａ，２８ｂからの信号によって判断する。
【００５５】
このような構造の携帯情報端末装置Ｐ３において、液晶表示部２１の表示画面を横長サイズとして使用する場合には、図５に示すように、第２の筐体２６の接続金具２７，２７と接続コネクタ２８とを、第１の筐体２３の短辺側の一側面２３ａに設けられた接続受け金具２７ａ，２７ａと接続受けコネクタ２８ａとに接続固定する。演算制御部２２は、この接続状態を判断する。そして、この状態でボタン群２４の電源ボタン２４ａを操作すると、演算制御部２２は、この電源ボタン２４ａの操作を検知し、接続コネクタ２８が短辺側側面２３ａの接続受けコネクタ２８ａに接続されていることを確認して、液晶表示部２１の表示画面の表示形態を横長に設定し、データを横長サイズで表示する。すなわち、図５に示すように、液晶表示部２１の表示画面の左上Ｅ点を基準に１画面分の横長データを表示する。また、このとき、表示画面の任意の場所（この例では表示画面の左端）に、機能選択キーのアイコン２１ａが縦列に表示される。
【００５６】
一方、表示画面を縦長サイズとして使用する場合には、図６に示すように、第２の筐体２６の接続金具２７，２７と接続コネクタ２８とを、第１の筐体２３の長辺側の一側面２３ｂに設けられた接続受け金具２７ｂ，２７ｂと接続受けコネクタ２８ｂとに接続固定する。演算制御部２２は、この接続状態を判断する。そして、この状態でボタン群２４の電源ボタン２４ａを操作すると、演算制御部２２は、この電源ボタン２４ａの操作を検知し、接続コネクタ２８が長辺側側面２３ｂの接続受けコネクタ２８ｂに接続されていることを確認して、液晶表示部２１の表示画面の表示形態を縦長に設定し、データを縦長サイズで表示する。すなわち、図６に示すように、液晶表示部２１の表示画面の左上Ｆ点を基準に１画面分の縦長データを表示する。また、このとき、表示画面の任意の場所（この例では表示画面の下端）に、機能選択キーのアイコン２１ａが横列に表示される。
【００５７】
このように、本実施形態１の携帯情報端末装置Ｐ３では、使用者が、第２の筐体２６を第１の筐体２３の短辺側の側面２３ａまたは長辺側の側面２３ｂのいずれかに接続固定し、ボタン群２４の電源ボタン２４ａを操作することで、表示画面を横長サイズまたは縦長サイズに設定することができる。
【００５８】
［実施形態２］
本実施形態２の携帯情報端末装置は、図５および図６に示した実施形態１の携帯情報端末装置Ｐ３の構造と全く同様であるので、ここでは同じ図５および図６を用いて説明する。本実施形態２では、実施形態１と比較して、演算制御部２２での処理が若干異なっている。すなわち、演算制御部２２は、第２の筐体２６の接続金具２７，２７と接続コネクタ２８とが、第１の筐体２３の例えば短辺側の一側面２３ａに設けられた接続受け金具２７ａ，２７ａと接続受けコネクタ２８ａとに接続固定されたとき、その接続状態を判断するだけでなく、その接続固定をきっかけとして、液晶表示部２１の表示画面を横長サイズに設定するようになっている。
【００５９】
すなわち、液晶表示部２１の表示画面を横長サイズとして使用する場合には、図５に示すように、第２の筐体２６の接続金具２７，２７と接続コネクタ２８とを、第１の筐体２３の短辺側の一側面２３ａに設けられた接続受け金具２７ａ，２７ａと接続受けコネクタ２８ａとに接続固定する。演算制御部２２は、この接続状態を確認すると、液晶表示部２１の表示画面の左上Ｅ点を基準に１画面分の横長データを表示する。また、このとき、表示画面の任意の場所（この例では表示画面の左端）に、機能選択キーのアイコン２１ａが縦列に表示される。
【００６０】
一方、表示画面を縦長サイズとして使用する場合には、図６に示すように、第２の筐体２６の接続金具２７，２７と接続コネクタ２８とを、第１の筐体２３の長辺側の一側面２３ｂに設けられた接続受け金具２７ｂ，２７ｂと接続受けコネクタ２８ｂとに接続固定する。演算制御部２２は、この接続状態を確認すると、液晶表示部２１の表示画面の左上Ｆ点を基準に１画面分の縦長データを表示する。また、このとき、表示画面の任意の場所（この例では表示画面の下端）に、機能選択キーのアイコン２１ａが横列に表示される。
【００６１】
このように、本実施形態２の携帯情報端末装置では、使用者が、第２の筐体２６を第１の筐体２３の短辺側の側面２３ａまたは長辺側の側面２３ｂのいずれかに接続固定するだけで、表示画面を横長サイズまたは縦長サイズに設定することができる。
【００６２】
［参考例３］
図７は、本発明の携帯情報端末装置の参考例３を示す外観図および断面図、図８は、同参考例３を示す外観図である。
【００６３】
この携帯情報端末装置Ｐ４は、薄型で横長サイズに形成されたケース（筐体）３０に、横長形状の表示画面を有する液晶表示部３１と装置全体の動作制御を行う演算制御部３２とが組み込まれている。また、ケース３０の一側面（この例では、長辺側の一側面）３０ａには、タッチペン３８を取り付ける取付部３０ａ１が設けられている。
【００６４】
ケース３０の前面左側、すなわち液晶表示部３１の左側は、ケース３０の前面より１段下がった構造となっており、この１段下がった部分が、ボタン操作部３３を図中矢符Ａ方向またはＢ方向にスライド可能に取り付ける取付部３４となっている。
【００６５】
このボタン操作部３３には、３個のボタンが配置されている。すなわち、この装置の電源を入れたり表示を切り替えたりする電源／切替ボタン３３ａ、表示画面上で選んだデータを決める決定ボタン３３ｂ、表示画面上に表示されているデータを前後左右にスクロールするスクロールボタン３３ｃの３個のボタンである。スクロールボタン３３ｃは、上部３３ｃ１を押すと上にスクロールし、下部３３ｃ２を押すと下にスクロールし、右部３３ｃ３を押すと右にスクロールし、左部３３ｃ４を押すと左にスクロールする。
【００６６】
また、ボタン操作部３３の端面部（液晶表示部３１側）の２箇所に、各ボタン３３ａ〜３３ｃの操作信号を演算制御部３２側に授受するためのボタン信号端子３５ａ，３５ｂが設けられている。一方、このボタン操作部３３がスライドする取付部３４の端面部（ボタン操作部３３の端面部と対向する端面部）には、その中央位置に信号端子３６が設けられている。この信号端子３６は、ボタン信号端子３５ａ，３５ｂのいずれか一方が接触することによって、そのボタン信号端子３５ａまたは３５ｂを検出し、ボタン信号端子３５ａまたは３５ｂを介して送られてくるボタン信号を授受する端子である。
【００６７】
このような構造の携帯情報端末装置Ｐ４において、液晶表示部３１の表示画面を横長サイズとして使用する場合には、図７に示すように、ボタン操作部３３を上側（矢符Ａ方向）にスライドさせる。これにより、ボタン操作部３３の一方のボタン信号端子３５ａが信号端子３６に接触し、信号端子３６はこのボタン信号端子３５ａを検出する。演算制御部３２は、このボタン信号端子３５ａの検出結果に基づき、液晶表示部３１の表示画面の表示形態を横長に設定し、データを横長サイズで表示する。すなわち、図７に示すように、液晶表示部３１の表示画面の左上Ｇ点を基準に１画面分の横長データを表示する。また、このとき、表示画面の任意の場所（この例では表示画面の左端）に、機能選択キーのアイコン３７が縦列に表示される。
【００６８】
一方、液晶表示部３１の表示画面を縦長サイズとして使用する場合には、図８に示すように、ボタン操作部３３を下側（矢符Ｂ方向）にスライドさせる。これにより、ボタン操作部３３の一方のボタン信号端子３５ｂが信号端子３６に接触し、信号端子３６はこのボタン信号端子３５ｂを検出する。演算制御部３２は、このボタン信号端子３５ｂの検出結果に基づき、液晶表示部３１の表示画面の表示形態を縦長に設定し、データを縦長サイズで表示する。すなわち、図８に示すように、液晶表示部３１の表示画面の左上Ｈ点を基準に１画面分の縦長データを表示する。また、このとき、表示画面の任意の場所（この例では表示画面の下端）に、機能選択キーのアイコン３７が横列に表示される。
【００６９】
このように縦長サイズとして使用するとき、本参考例３では、ボタン操作部３３の各ボタン３３ａ〜３３ｃの機能が、使用性および操作性の観点から、上記した横長サイズとして使用するときのボタン位置の機能とは異なる機能となる。すなわち、図８では、右側のボタン３３ｂが、この装置の電源を入れたり表示を切り替えたりする電源／切替ボタンとなり、左側のボタン３３ａが、表示画面上で選んだデータを決める決定ボタンとなる。また、スクロールボタン３３ｃについても、図８に示す縦長の状態で、上部３３ｃ３を押すと上にスクロールし、下部３３ｃ４を押すと下にスクロールし、右部３３ｃ１を押すと右にスクロールし、左部３３ｃ２を押すと左にスクロールする。
【００７０】
このように、本参考例３の携帯情報端末装置Ｐ４では、使用者が、ボタン操作部３３を上側または下側にスライドさせることで、表示画面を横長サイズまたは縦長サイズに設定することができ、かつボタンの機能もこれに合わせて変更することで、操作性も改善されるものである。
【００７３】
【発明の効果】
本発明の携帯情報端末装置によれば、表示画面を横長サイズとして使用する場合には、第２の筐体に設けられた接続端子部を、第１の筐体の短辺側の一側面に設けられた短辺側端子受け部に接続し、この状態で第１の筐体に設けられている操作ボタン群の例えば電源ボタンを操作すると、表示制御部は、この電源ボタンの操作を検知して、表示画面の表示形態を例えば横長に設定し、データを横長サイズで表示する。一方、表示画面を縦長サイズとして使用する場合には、第２の筐体に設けられた接続端子部を、第１の筐体の長辺側の一側面に設けられた長辺側端子受け部に接続し、この状態で第１の筐体に設けられている操作ボタン群の例えば電源ボタンを操作すると、表示制御部は、この電源ボタンの操作を検知して、表示画面の表示形態を例えば縦長に設定し、データを縦長サイズで表示するようになっている。このように、第２の筐体を第１の筐体の短辺側または長辺側に接続するといった簡単な操作で、表示画面を横長サイズまたは縦長サイズに切り替えることができるため、その後、キー入力を行うという動作をすることで、使用者は意識することなく表示画面の切り替えを行うことができる。
【００７４】
また、本発明の携帯情報端末装置によれば、表示画面を横長サイズとして使用する場合には、第２の筐体に設けられた接続端子部を、第１の筐体の短辺側の一側面に設けられた短辺側端子受け部に接続すると、表示制御部は、この接続状態を検知して、表示画面の表示形態を例えば横長に設定し、データを横長サイズで表示する。一方、表示画面を縦長サイズとして使用する場合には、第２の筐体に設けられた接続端子部を、第１の筐体の長辺側の一側面に設けられた長辺側端子受け部に接続すると、表示制御部は、この接続状態を検知して、表示画面の表示形態を例えば縦長に設定し、データを縦長サイズで表示するようになっている。このように、第２の筐体を第１の筐体の短辺側または長辺側に接続するといった簡単な操作で、表示画面を横長サイズまたは縦長サイズに切り替えることができる。
【図面の簡単な説明】
【図１】本発明の携帯情報端末装置の参考例１を示す外観図および断面図である。
【図２】本発明の携帯情報端末装置の参考例１を示す外観図である。
【図３】本発明の携帯情報端末装置の参考例２を示す外観図および断面図である。
【図４】本発明の携帯情報端末装置の参考例２を示す外観図である。
【図５】本発明の携帯情報端末装置の実施形態１，２を示す外観図である。
【図６】本発明の携帯情報端末装置の実施形態１，２を示す外観図である。
【図７】本発明の携帯情報端末装置の参考例３を示す外観図および断面図である。
【図８】本発明の携帯情報端末装置の参考例３を示す外観図である。
【図９】従来の携帯情報端末装置の一例を示す外観図である。
【図１０】従来の携帯情報端末装置の一例を示す外観図である。
【符号の説明】
Ｐ１〜Ｐ４  携帯情報端末装置
１１，３０  ケース（筐体）
１２，２１，３１  液晶表示部
１３  ボタン操作エリア
１４  上ボタン群
１５  下ボタン群
１６  スライドカバー
１８，２９  タッチペン
１９  検知センサ
２０，２２，３２  演算制御部
２３  第１の筐体
２４  ボタン群
２６  第２の筐体
２７  接続金具
２８  接続コネクタ
２７ａ，２７ｂ  接続受け金具
２８ａ，２８ｂ  接続受けコネクタ
３３  ボタン操作部
３５ａ，３５ｂ  ボタン信号端子
３６  信号端子
【図１】
0004618844.tif 000002
【図２】
0004618844.tif 000003
【図３】
0004618844.tif 000004
【図４】
0004618844.tif 000005
【図５】
0004618844.tif 000006
【図６】
0004618844.tif 000007
【図７】
0004618844.tif 000008
【図８】
0004618844.tif 000009
【図９】
0004618844.tif 000010
【図１０】
0004618844.tif 000011